(57)【要約】【課題】ワンセグ対応のＯＦＤＭ受信装置において、消費電力を低減させながら、１セグメント内にある４本のＴＭＣＣ信号を検出する技術を提供することを課題とする。【解決手段】チューナー１２により受信されたＯＦＤＭ信号は、キャリアデロテーター２６において周波数ずれが補正された後、ＴＭＣＣ復調器３０に入力される。時間領域のＯＦＤＭ信号１０１は、４方向に分配され、それぞれ第１位相信号１１１〜第４位相信号１１４が乗算される。第１位相〜第４位相は、ＴＭＣＣ信号が挿入されるサブキャリアの位相である。ＯＦＤＭ信号１０１と第１位相信号１１１〜第４位相信号１１４との乗算値は、１シンボルにわたって積算され、４個のＴＭＣＣ信号が出力される。タイミングカウント回路３４は、ＴＭＣＣ信号の２６ビット目を参照し、ＥＷＳフラグを検出する。【選択図】図３
2010136088.tif 000002
【特許請求の範囲】
【請求項１】
ＯＦＤＭ方式の受信信号からＴＭＣＣ信号に含まれる緊急警報放送フラグを検出する緊急警報放送フラグ復調装置であって、
ＴＭＣＣ信号が格納されるキャリアの位相情報を記憶するＴＭＣＣ情報記憶部と、
時間領域のＯＦＤＭ受信信号に、ＴＭＣＣ信号が格納されるキャリアの位相信号を乗算する乗算器と、
前記乗算器における乗算値を１シンボル期間にわたって積算し、ＴＭＣＣ信号を出力する積算回路と、
前記積算回路から出力されたＴＭＣＣ信号から緊急警報放送フラグを検出する検出回路と、
を備えることを特徴とする緊急警報放送フラグ復調装置。
【請求項２】
請求項１に記載の緊急警報放送フラグ復調装置において、
前記ＴＭＣＣ情報記憶部には、Ｎ本のＴＭＣＣ信号に対応したＮ個のキャリア位相情報が格納されており、
前記緊急警報放送フラグ復調装置は、さらに、
時間領域のＯＦＤＭ信号を第１から第Ｎの系統に分配する分配回路、
を備え、
前記乗算器は、
第１から第Ｎの系統に分配されたＯＦＤＭ信号に、それぞれ第１から第Ｎのキャリアの位相信号を乗算するＮ個のキャリア別乗算器、
を含み、
前記積算回路は、
Ｎ個のキャリア別乗算器の乗算値をそれぞれ１シンボル期間にわたって積算するＮ個のキャリア別積算回路、
を含むことを特徴とする緊急警報放送フラグ復調装置。
【請求項３】
請求項２に記載の緊急警報放送フラグ復調装置において、
前記キャリア別乗算器および前記キャリア別積算回路のセットが、１セグメントのＯＦＤＭ信号に含まれる４本のＴＭＣＣ信号に対応して４セット用意されていることを特徴とする緊急警報放送フラグ復調装置。
【請求項４】
請求項１ないし請求項３のいずれかに記載の緊急警報放送フラグ復調装置において、さらに、
前記検出回路により緊急警告放送フラグが検出された場合、ＦＦＴ演算回路を含むデジタルテレビ放送復調回路への電力供給を指示する信号を送出する指示回路、
を備えることを特徴とする緊急警報放送フラグ復調装置。
【請求項５】
ＯＦＤＭ方式の受信信号を復調するＯＦＤＭ受信装置であって、
ＯＦＤＭ信号を受信するチューナーと、
ＦＦＴ演算回路を含む処理ブロックによりＯＦＤＭ受信信号を復調するデジタルテレビ放送復調回路と、
ＯＦＤＭ受信信号からＴＭＣＣ信号に含まれる緊急警報放送フラグを検出する緊急警報放送フラグ復調回路と、
を備え、
前記緊急警報放送フラグ復調回路は、
ＴＭＣＣ信号が格納されるキャリアの位相情報を記憶するＴＭＣＣ情報記憶部と、
時間領域のＯＦＤＭ受信信号に、ＴＭＣＣ信号が格納されるキャリアの位相信号を乗算する乗算器と、
前記乗算器における乗算値を１シンボル期間にわたって積算し、ＴＭＣＣ信号を出力する積算回路と、
前記積算回路から出力されたＴＭＣＣ信号から緊急警告放送フラグを検出する検出回路と、
前記検出回路により緊急警告放送フラグが検出された場合、前記デジタルテレビ放送復調回路への電力供給を指示する信号を送出する指示回路と、
を備えることを特徴とするＯＦＤＭ受信装置。
【請求項６】
請求項５に記載のＯＦＤＭ受信装置において、
前記チューナーおよび前記緊急警報放送フラグ復調回路には、所定フレーム間隔で電力が供給されることを特徴とするＯＦＤＭ受信装置。
【発明の詳細な説明】
【技術分野】
【０００１】
本発明は、ＯＦＤＭ方式の地上波デジタルテレビ放送の受信装置に関する。詳しくは、ＯＦＤＭ受信信号から緊急警報放送フラグを検出する技術に関する。
【背景技術】
【０００２】
日本の地上波デジタルテレビ放送では、伝送方式としてＯＦＤＭ（直交周波数分割多重；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が採用されている。
【０００３】
日本規格のＯＦＤＭ方式では、６ＭＨｚの帯域幅をもＯＦＤＭ信号のスペクトラムを複数のセグメントに分割して伝送する「階層伝送」が可能である。ＯＦＤＭ受信装置においては、これら複数の階層の中から一部の階層のみを部分的に抽出して受信する「部分受信」という受信形態が可能となっている。そして、移動通信端末や携帯通信端末においては、これら複数の階層の中で１セグメントのみからなる階層を受信する「１セグメント方式（ワンセグ受信）」の受信形態も行われている。
【０００４】
地上波デジタルテレビ放送においても、地震や津波などの災害の発生予告を緊急で行うための緊急警報放送（ＥＷＳ：Ｅｍｅｒｇｅｎｃｙ  Ｗａｒｎｉｎｇ  Ｓｙｓｔｅｍ）が発信されている。ＥＷＳは、待機状態にあるテレビやラジオの受信機のスイッチを自動的にＯＮすることで行われる放送である。
【０００５】
ＯＦＤＭ受信装置は、テレビのスイッチが切られている状態で、定期的にＯＦＤＭ信号を受信し、ＯＦＤＭ受信信号に含まれているＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号中のＥＷＳフラグを検出する。そして、ＯＦＤＭ受信装置は、ＥＷＳフラグを検出したときには、テレビのスイッチをＯＮにし、自動的にＥＷＳを再生するのである。
【０００６】
【特許文献１】特開２００５−２９５０５３号公報
【特許文献２】特開２００５−３３３５１２号公報
【特許文献３】特開２００６−３１９７７１号公報
【特許文献４】特開２００７−１０４２２１号公報
【発明の開示】
【発明が解決しようとする課題】
【０００７】
上記のように、地上波デジタルテレビにおいてＥＷＳを受信するためには、テレビのスイッチがＯＦＦされて待機状態になっている場合であっても、ＯＦＤＭ受信装置に電力が供給されている必要がある。つまり、テレビスイッチはＯＦＦにされているが、主電源がＯＮされていることにより、待機電力によってＯＦＤＭ受信装置が動作可能となっていることが条件となる。
【０００８】
ＯＦＤＭ受信装置は、定期的に、ＯＦＤＭ信号を受信し、ＦＦＴ（Ｆａｓｔ  Ｆｏｕｒｉｅｒ  Ｔｒａｎｓｆｏｒｍ）演算を含む受信信号の復調処理を実行し、ＴＭＣＣ信号内に含まれているＥＷＳフラグを検出するのである。
【０００９】
据え置きテレビであれば、待機状態においてもＯＦＤＭ受信装置が駆動し、演算処理を実行することには大きな問題にはならない。据え置きテレビであれば、コンセントを介して常時電源が供給されているからである。また、ＦＦＴ演算を実行するときに消費電力が大きくなるが、これも据え置きテレビであれば大きな問題にはならない。
【００１０】
しかし、ワンセグ受信を行う携帯電話端末を含め携帯通信端末においては、バッテリを使用しているため、消費電力を極力小さくする必要がある。もし、待機状態において、携帯電話端末に搭載されたＯＦＤＭ受信装置が定期的にＯＦＤＭ信号を受信し、ＦＦＴ演算処理を実行すれば、バッテリの消費が多大となり、実用に耐えない。
【００１１】
そこで、上記特許文献１〜特許文献４では、ＦＦＴ演算を行うことなく、ＯＦＤＭ受信信号からＥＷＳフラグを検出する試みがなされている。特許文献１、特許文献２では、フィルタによりＴＭＣＣ信号が挿入されるキャリア信号を取得するようにしている。特許文献３、特許文献４では、特別な配置にある２本のＴＭＣＣ信号を検出する方法を開示している。
【００１２】
しかし、ＯＦＤＭ信号は、もともとサブキャリア間の間隔が狭く、密に配置されているのが特徴であり、特許文献１、特許文献２のようにフィルタを用いてＴＭＣＣ信号を取得する方法は非常に高い精度のフィルタを準備する必要が生じる。また、フィルタのタップ数が非常に大きくなるため、消費電力の削減効果があまり得られないという問題もある。また、特許文献３、特許文献４の方法であれば、１セグメントにある４本のＴＭＣＣ信号のうち２本しか検出できないという問題がある。
【００１３】
そこで、本発明は、前記問題点に鑑み、消費電力を低減させながら、１セグメント内にある４本のＴＭＣＣ信号を検出する技術を提供することを課題とする。
【課題を解決するための手段】
【００１４】
上記の課題を解決するため、請求項１記載の発明は、ＯＦＤＭ方式の受信信号からＴＭＣＣ信号に含まれる緊急警報放送フラグを検出する緊急警報放送フラグ復調装置であって、ＴＭＣＣ信号が格納されるキャリアの位相情報を記憶するＴＭＣＣ情報記憶部と、時間領域のＯＦＤＭ受信信号に、ＴＭＣＣ信号が格納されるキャリアの位相信号を乗算する乗算器と、前記乗算器における乗算値を１シンボル期間にわたって積算し、ＴＭＣＣ信号を出力する積算回路と、前記積算回路から出力されたＴＭＣＣ信号から緊急警報放送フラグを検出する検出回路と、を備えることを特徴とする。
【００１５】
請求項２記載の発明は、請求項１に記載の緊急警報放送フラグ復調装置において、前記ＴＭＣＣ情報記憶部には、Ｎ本のＴＭＣＣ信号に対応したＮ個のキャリア位相情報が格納されており、前記緊急警報放送フラグ復調装置は、さらに、時間領域のＯＦＤＭ信号を第１から第Ｎの系統に分配する分配回路、を備え、前記乗算器は、第１から第Ｎの系統に分配されたＯＦＤＭ信号に、それぞれ第１から第Ｎのキャリアの位相信号を乗算するＮ個のキャリア別乗算器、を含み、前記積算回路は、Ｎ個のキャリア別乗算器の乗算値をそれぞれ１シンボル期間にわたって積算するＮ個のキャリア別積算回路、を含むことを特徴とする。
【００１６】
請求項３記載の発明は、請求項２に記載の緊急警報放送フラグ復調装置において、前記キャリア別乗算器および前記キャリア別積算回路のセットが、１セグメントのＯＦＤＭ信号に含まれる４本のＴＭＣＣ信号に対応して４セット用意されていることを特徴とする。
【００１７】
請求項４記載の発明は、請求項１ないし請求項３のいずれかに記載の緊急警報放送フラグ復調装置において、さらに、前記検出回路により緊急警告放送フラグが検出された場合、ＦＦＴ演算回路を含むデジタルテレビ放送復調回路への電力供給を指示する信号を送出する指示回路、を備えることを特徴とする。
【００１８】
請求項５記載の発明は、ＯＦＤＭ方式の受信信号を復調するＯＦＤＭ受信装置であって、ＯＦＤＭ信号を受信するチューナーと、ＦＦＴ演算回路を含む処理ブロックによりＯＦＤＭ受信信号を復調するデジタルテレビ放送復調回路と、ＯＦＤＭ受信信号からＴＭＣＣ信号に含まれる緊急警報放送フラグを検出する緊急警報放送フラグ復調回路と、を備え、前記緊急警報放送フラグ復調回路は、ＴＭＣＣ信号が格納されるキャリアの位相情報を記憶するＴＭＣＣ情報記憶部と、時間領域のＯＦＤＭ受信信号に、ＴＭＣＣ信号が格納されるキャリアの位相信号を乗算する乗算器と、前記乗算器における乗算値を１シンボル期間にわたって積算し、ＴＭＣＣ信号を出力する積算回路と、前記積算回路から出力されたＴＭＣＣ信号から緊急警告放送フラグを検出する検出回路と、前記検出回路により緊急警告放送フラグが検出された場合、前記デジタルテレビ放送復調回路への電力供給を指示する信号を送出する指示回路と、を備えることを特徴とする。
【００１９】
請求項６記載の発明は、請求項５に記載のＯＦＤＭ受信装置において、前記チューナーおよび前記緊急警報放送フラグ復調回路には、所定フレーム間隔で電力が供給されることを特徴とする。
【発明の効果】
【００２０】
本発明の緊急警報放送フラグの復調装置は、時間領域のＯＦＤＭ受信信号に、ＴＭＣＣ信号の挿入されるサブキャリアの位相信号を乗算する。そして、乗算値を１シンボル期間にわたって積算することでＴＭＣＣ信号を取得する。
【００２１】
これにより、ＦＦＴ演算を実行することなく、少ない消費電力でＴＭＣＣ信号を取得することができる。
【００２２】
本発明においては、少ない数の乗算器、積算回路を用いてＴＭＣＣ信号を取得することができるので、ＥＷＳフラグの検出回路の回路規模を小さくすることができ、低消費電力化を図ることができる。
【００２３】
また、緊急警報放送フラグの検出装置は、ＴＭＣＣ信号が挿入される４個のサブキャリアの位相信号を乗算することで、１セグメント内に挿入されている４本のＴＭＣＣ信号を全て取得することができる。これにより、受信信号の品質が低下している状態であっても、ＥＷＳフラグの誤検出の発生頻度を低下させることができる。
【発明を実施するための最良の形態】
【００２４】
図１は、本発明の実施の形態にかかる携帯電話端末１０のブロック図である。携帯電話端末１０は、ワンセグの地上波デジタルテレビ放送の受信機能を備えた携帯電話端末である。本実施の形態においては、ワンセグ放送受信機能を備えた携帯端末として携帯電話端末を例に説明するが、他にも携帯情報端末（ＰＤＡ）や、携帯ゲーム機などに適用させることができる。
【００２５】
携帯電話端末１０は、ＯＦＤＭ方式の地上波デジタルテレビ放送を受信するアンテナ１１およびチューナー１２を備えている。チューナー１２から出力されたアナログのＯＦＤＭ受信信号はＡ／Ｄ変換回路１３においてデジタル変換される。
【００２６】
Ａ／Ｄ変換回路１３においてデジタル変換されたＯＦＤＭ受信信号は、２系統に分配されて、一方は、地上波デジタルテレビ復調器１４に入力される。
【００２７】
地上波デジタルテレビ復調器１４は、周波数補正回路、ＦＦＴ演算回路、等化回路、誤り訂正回路、ＭＰＥＧ復号回路などを備え、受信したＯＦＤＭ信号から、ワンセグの地上波デジタルテレビ放送信号を復調する。そして、復調された放送信号は、モニタ１５およびスピーカ１６から出力される。このようにして、ユーザは、携帯電話端末１０を利用して、ワンセグの地上波デジタルテレビ放送を視聴することができる。
【００２８】
Ａ／Ｄ変換回路１３においてデジタル変換されたＯＦＤＭ受信信号は、また、緊急警報放送フラグを復調するためのＥＷＳフラグ復調器２０に入力される。ＥＷＳフラグ復調器２０は、受信したＯＦＤＭ信号からＴＭＣＣ信号を復調し、ＴＭＣＣ信号に含まれるＥＷＳフラグを検出する。
【００２９】
携帯電話端末１０は、電源スイッチ１９を備え、電源スイッチ１９のＯＮ／ＯＦＦ操作により、電源１８から本体部への電力の供給、停止が行われる。本体部とは、モニタ１５やスピーカ１６などの入出力部であり、携帯電話端末１０の基本機能を実行するための処理部である。ユーザは、電源スイッチ１９がＯＮにされている状態で、図示せぬ操作ボタンを操作してダイヤル操作や入力操作を行うことで通話機能やメール機能など携帯電話端末１０が備える基本機能を利用することができる。
【００３０】
しかし、電源スイッチ１９がＯＮ操作されただけでは、チューナー１２、Ａ／Ｄ変換回路１３、地上波デジタルテレビ復調器１４、ＥＷＳフラグ復調器２０への電力供給は行われない。ユーザが、図示せぬ操作ボタンを操作して、地上波デジタルテレビ放送の視聴機能をＯＮにしたとき、はじめてチューナー１２、Ａ／Ｄ変換回路１３、地上波デジタルテレビ復調器１４への電力が供給され、地上波デジタルテレビの放送の視聴が可能となる。これは、ユーザが、能動的に地上波デジタルテレビ放送の視聴機能をＯＮにした場合である。
【００３１】
これに対して、本実施の形態の携帯電話端末１０は、ユーザ操作に無関係に、自動的に、緊急警報放送の視聴が可能となる機能を備えている。図２は、携帯電話端末１０の各構成部の起動・停止のタイミングを示す図である。
【００３２】
電源スイッチ１９がＯＮ操作されると、通話機能、メール機能など携帯電話端末１０の基本的な機能が使用可能となる。また、電源スイッチ１９がＯＮ操作されると、後述するタイミングカウント回路３４への電力が供給される。電源スイッチ１９がＯＮ操作されると、ＥＷＳフラグ復調器２０全体には電力は供給されないが、ＥＷＳフラグ復調器２０内のタイミングカウント回路３４だけに電力が供給される。
【００３３】
タイミングカウント回路３４は、タイマーを備え、ＯＦＤＭ受信信号の受信タイミングをカウントし、定期的に、電力供給信号ＲＳ１を出力する。この電力供給信号ＲＳ１に応答して、チューナー１２、Ａ／Ｄ変換回路１３、ＥＷＳフラグ復調器２０への電力供給が行われる。たとえば、タイミングカウント回路３４は、５フレームや１０フレームに一度のタイミングで電力供給信号ＲＳ１を生成する。
【００３４】
また、タイミングカウント回路３４は、ＥＷＳフラグ復調器２０がＥＷＳフラグを検出すると、電力供給信号ＲＳ２を出力する。この電力供給信号ＲＳ２に応答して、チューナー１２、Ａ／Ｄ変換回路１３、地上波デジタルテレビ復調器１４への電力供給が行われる。
【００３５】
図３は、ＥＷＳフラグ復調器２０の機能ブロック図である。ＥＷＳフラグ復調器２０は、ＡＧＣ（Ａｕｔｏｍａｔｉｃ  Ｇａｉｎ  Ｃｏｎｔｒｏｌ）回路２１、乗算器２２、乗算器２３、ＬＰＦ（Ｌｏｗ  Ｐａｓｓ  Ｆｉｌｔｅｒ）２４、リサンプラー２５、キャリアデロテーター２６を備えている。
【００３６】
まず、上述したように、タイミングカウント回路３４から電力供給信号ＲＳ１が出力されることにより、電源１８からの電力が、チューナー１２、Ａ／Ｄ変換回路１３、ＥＷＳフラグ復調器２０へ供給される。そして、アンテナ１１、チューナー１２を介して受信したＯＦＤＭ信号が、Ａ／Ｄ変換回路１３においてデジタル変換される。
【００３７】
Ａ／Ｄ変換回路１３から出力されたデジタルのＯＦＤＭ受信信号は、ＡＧＣ回路２１においてゲインが調整される。ゲインが調整されたＯＦＤＭ受信信号は、乗算器２２においてｃｏｓ波が乗算された後、ＬＰＦ２４を通すことによって、同相成分（Ｉ成分）が抽出される。また、ゲインが調整されたＯＦＤＭ受信信号は、乗算器２３においてｓｉｎ波が乗算された後、ＬＰＦ２４を通すことによって直交成分（Ｑ成分）が抽出される。
【００３８】
Ｉ成分、Ｑ成分に分離されたＯＦＤＭ信号は、リサンプラー２５において、サンプリングレートが調整され、キャリアデロテーター２６において、位相信号が乗算されて周波数ずれの補正が行われる。
【００３９】
ＥＷＳフラグ復調器２０は、さらに、時間領域相関回路２７、シンボル同期回路２８、狭帯域周波数同期回路２９、ＴＭＣＣ復調器３０、ＤＢＰＳＫデコード回路３１、ＴＭＣＣ同期回路３２、広帯域周波数同期回路３３、タイミングカウント回路３４を備えている。
【００４０】
キャリアデロテーター２６から出力されたＯＦＤＭ受信信号は、時間領域相関回路２７に入力される。時間領域相関回路２７は、ガードインターバル信号の相関を演算することで、時間領域の相関値を演算する。
【００４１】
シンボル同期回路２８は、時間領域相関回路２７における相関値の演算結果に基づいてシンボル同期信号を生成し、ＴＭＣＣ復調器３０に出力する。ＴＭＣＣ復調器３０は、入力したシンボル同期信号に基づいてシンボル単位での処理を実行する。
【００４２】
また、狭帯域周波数同期回路２９は、時間領域相関回路２７における相関値の演算結果に基づいて狭帯域の周波数ずれを検出する。そして、狭帯域周波数同期回路２９は、周波数ずれの位相情報をキャリアデロテーター２６に出力する。狭帯域の周波数ずれとは、サブキャリア間隔を越えない周波数ずれである。キャリアデロテーター２６は、周波数ずれの位相情報に基づいて、ＯＦＤＭ受信信号の狭帯域の周波数ずれを補正する。
【００４３】
また、広帯域周波数同期回路３３は、サブキャリア間隔を越える周波数ずれを検出し、周波数ずれの位相情報をキャリアデロテーター２６に出力する。キャリアデロテーター２６は、周波数ずれの位相情報に基づいて、ＯＦＤＭ受信信号の広帯域の周波数ずれを補正する。
【００４４】
キャリアデロテーター２６において周波数ずれが補正されたＯＦＤＭ信号は、ＴＭＣＣ復調器３０に入力される。ＴＭＣＣ復調器３０は、ＴＭＣＣ情報記憶回路３１０、４個の乗算器３１１，３１２，３１３，３１４と、４個の加算器３２１，３２２，３２３，３２４と、４個の遅延回路３３１，３３２，３３３，３３４等から構成される。
【００４５】
ＴＭＣＣ情報記憶回路３１０には、ＴＭＣＣ信号が挿入されるサブキャリアの位相情報が記憶されている。モード３の規格では、１セグメントに４本のＴＭＣＣ信号が挿入される。本実施の形態においては、モード３に対応して、ＴＭＣＣ情報記憶回路３１０には、４本のＴＭＣＣ信号に対応した第１位相から第４位相までの４つのサブキャリア位相情報（ψ１〜ψ４）が記憶されている。
【００４６】
キャリアデロテーター２６から出力されＴＭＣＣ復調器３０に入力される時間領域のＯＦＤＭ受信信号１０１は、４系統に分配され、それぞれ乗算器３１１，３１２，３１３，３１４に入力される。なお、ＯＦＤＭ受信信号１０１は、キャリアデロテーター２６から出力されたＩ成分、Ｑ成分の２つの信号からなる複素信号である。
【００４７】
乗算器３１１に入力された時間領域のＯＦＤＭ受信信号１０１には、ＴＭＣＣ情報記憶回路３１０から出力された第１位相信号１１１が乗算される。図中、ψ１は、第１番目のＴＭＣＣ信号が挿入されるサブキャリアの位相（第１位相）を示している。
【００４８】
任意のポイントのＯＦＤＭ信号１０１と第１位相信号１１１との乗算値は、加算器３２１において、遅延回路３３１からの出力信号と加算される。さらに、次のポイントのＯＦＤＭ信号１０１と第１位相信号１１１とが乗算され、加算器３２１において、遅延回路３３１からの出力信号と加算される。このような処理を繰り返し、乗算値が１シンボルにわたって積算される。つまり、１シンボルに含まれる各サンプリング点のＯＦＤＭ信号１０１が、順次乗算器３１１において第１位相信号１１１と乗算され、その乗算値が１シンボル期間にわたって積算されるのである。ＴＭＣＣ復調器３０は、シンボル同期回路２８から入力する同期信号に基づいて１シンボル単位の積算値を出力する。
【００４９】
ここで、第１位相信号１１１は、ワンセグのＯＦＤＭ信号に含まれる４本のＴＭＣＣ信号の中で、第１番目のＴＭＣＣ信号が挿入されるサブキャリアの位相（第１位相ψ１）に対応した搬送波信号（ｅｊψ１）である。したがって、ＯＦＤＭ受信信号の直交性により、乗算値を１シンボルにわたって積算した積算結果は、第１番目のＴＭＣＣ信号となる。このようにして加算器３２１より第１番目のＴＭＣＣ信号が出力される。
【００５０】
乗算器３１２，３１３，３１４には、第２、第３、第４番目のＴＭＣＣ信号が挿入されるサブキャリアの位相に対応した第２、第３、第４位相信号１１２，１１３，１１４が入力される。図中、ψ２、ψ３、ψ４、は、第２、第３、第４番目のＴＭＣＣ信号が挿入されるサブキャリアの位相（第１、第２、第３位相）を示している。第２、第３、第４位相信号１１２，１１３，１１４は、４本のＴＭＣＣ信号の中で、第２、第３、第４番目のＴＭＣＣ信号が挿入されるサブキャリアの位相に対応した搬送波信号（ｅｊψ２，ｅｊψ３，ｅｊψ４）である。そして、乗算器３１２，３１３，３１４において、ＯＦＤＭ受信信号１０１には、それぞれ第２、第３、第４位相信号１１２，１１３，１１４が乗算される。
【００５１】
加算器３２２，３２３，３３３においては、それぞれ、ＯＦＤＭ信号１０１と、第２、第３、第４位相信号１１２、１１３、１１４との乗算値が１シンボル期間にわたって積算される。これにより、加算器３２２からは、第２番目のＴＭＣＣ信号が出力され、加算器３２３からは、第３番目のＴＭＣＣ信号が出力され、加算器３２４からは、第４番目のＴＭＣＣ信号が出力される。
【００５２】
ＴＭＣＣ復調器３０から出力された第１番目から第４番目のＴＭＣＣ信号は、ＤＢＰＳＫデコード回路３１に入力される。ＴＭＣＣ信号は、差動位相変調された信号であり、ＤＢＰＳＫデコードすることにより、ＴＭＣＣ信号が復調される。なお、１セグメント内に挿入される４本のＴＭＣＣ信号は、同じ情報が埋め込まれている。したがって、復調した４本のＴＭＣＣ信号をダイバーシティ合成するなどして、ＴＭＣＣ信号の復調精度を向上させることができる。
【００５３】
復調されたＴＭＣＣ信号は、ＴＭＣＣ同期回路３２に入力される。ＴＭＣＣ同期回路３２は、ＴＭＣＣ信号からフレーム同期信号を生成し、広帯域周波数同期回路３３に出力する。広帯域周波数同期回路３３は、フレーム同期信号に基づいて広帯域の周波数ずれを検出する。
【００５４】
図４は、ＴＭＣＣ信号のパケット構成を示す図である。ＴＭＣＣ信号は、１シンボルに対して１ビットの情報として埋め込まれるため、１フレーム（２０４シンボル）で、２０４ビットのパケットとして構成される。
【００５５】
図に示すように、ＴＭＣＣパケットの第０ビットは差動復調基準ビットである。第１ビットから第１６ビットは、同期信号が挿入される。ＴＭＣＣ同期回路３２は、この同期信号を利用してフレーム同期信号を生成する。
【００５６】
第１７ビットから第１９ビットには、セグメント形式識別情報が挿入される。そして、第２０ビットから第１２１ビットまでにＴＭＣＣ情報が挿入される。最後の第１２２ビットから第２０３ビットはパリティが挿入される。ＥＷＳフラグは、図にも示すように、第２６ビットに挿入される。緊急警報放送の放送が開始すると、第２６ビットにＥＷＳフラグとして「１」が記録される。
【００５７】
ＴＭＣＣ同期回路３２は、復調されたＴＭＣＣ信号をタイミングカウント回路３４に出力する。タイミングカウント回路３４は、ＴＭＣＣ信号からＥＷＳフラグを検出する。タイミングカウント回路３４は、ＴＭＣＣ信号からＥＷＳフラグを検出した場合には、電源制御回路１７に対して電力供給信号ＲＳ２を出力する。
【００５８】
電源制御回路１７は、タイミングカウント回路３４から電力供給信号ＲＳ２を入力すると、電源１８を制御し、チューナー１２、Ａ／Ｄ変換回路１３、地上波デジタルテレビ復調器１４に対して電力を供給する。
【００５９】
これにより、アンテナ１１、チューナー１２を介して受信されたＯＦＤＭ受信信号は、Ａ／Ｄ変換回路１３を介して地上波デジタルテレビ復調器１４に入力される。そして、地上波デジタルテレビ復調器１４において、ＦＦＴ演算、等化処理、誤り符号訂正、ＭＰＥＧ復号などが行われ、緊急警報放送が復調される。そして、緊急警報放送が、モニタ１５、スピーカ１６から出力される。このようにして、本実施の形態の携帯電話端末１０は、地上波デジタルテレビの受信機能がＯＦＦされている状態であっても、ＥＷＳフラグを検出し、地上波デジタルテレビ受信機能を自動的にＯＮして緊急警報放送を開始することができる。
【００６０】
一方、タイミングカウント回路３４は、ＴＭＣＣ信号からＥＷＳフラグが検出されなかった場合には、電力供給信号ＲＳ２を出力しない。これにより、次の電力供給信号ＲＳ１の発生タイミングまで、チューナー１２、Ａ／Ｄ変換回路１３、ＥＷＳフラグ復調器２０への電力供給が停止される。
【００６１】
以上説明したように、本実施の形態においては、ＦＦＴ演算を行うことなく低消費電力化を実現しつつ、４本全てのＴＭＣＣ信号を復調することができる。携帯電話端末１０の電源スイッチ１９がＯＮとなっている場合には、電源１８からの電力は常にタイミングカウント回路３４に供給されている。タイミングカウント回路３４は、ＥＷＳフラグの検出タイミングをカウントし、定期的に、電力供給信号ＲＳ１を生成する。たとえば、５フレーム間隔、１０フレーム間隔などをあけて電力供給信号ＲＳ１を生成し、電源制御回路１７に出力する。
【００６２】
電力供給信号ＲＳ１を入力した場合、ＥＷＳフラグ復調器２０が受信する必要のあるＯＦＤＭ信号は１フレーム以下である。上述したように、ＥＷＳフラグは、ＴＭＣＣパケットの第２６ビットに挿入されている。フレームの先頭から数えて２６シンボル目のＯＦＤＭ信号を受信することで、ＥＷＳフラグを検出することができる。したがって、電源制御回路１７は、先頭から２６シンボル目の信号を受信するまで電力を供給すればよいことになる。
【００６３】
電源制御回路１７は、電力供給信号ＲＳ１を入力すると、チューナー１２、Ａ／Ｄ変換回路１３、ＥＷＳフラグ復調器２０へ電力を供給する。これにより、アンテナ１１、チューナー１２を介して受信されたＯＦＤＭ信号が、Ａ／Ｄ変換回路１３を介してＥＷＳフラグ復調器２０に入力され、ＥＷＳフラグ復調器２０においてＥＷＳフラグの検出処理が行われる。そして、ＥＷＳフラグが検出された場合には、上述したように、タイミングカウント回路３４から電力供給信号ＲＳ２が生成され、地上波デジタルテレビの受信が行われるのである。
【図面の簡単な説明】
【００６４】
【図１】本実施の形態に係る携帯電話端末のブロック図である。
【図２】携帯電話端末の各構成部の起動・停止タイミングを示す図である。
【図３】ＥＷＳフラグ復調器の回路ブロック図である。
【図４】ＴＭＣＣパケットのパケット構成図である。
【符号の説明】
【００６５】
１０      携帯電話端末
１２      チューナー
１４      地上波デジタルテレビ復調器
１７      電源制御回路
１８      電源
１９      スイッチ
２０      ＥＷＳフラグ復調器
３０      ＴＭＣＣ復調器
３４      タイミングカウント回路
３１０    ＴＭＣＣ情報記憶部
３１１〜３１４      乗算器
３２１〜３２４      加算器
３３１〜３３４      遅延回路
【図１】
2010136088.tif 000003
【図２】
2010136088.tif 000004
【図３】
2010136088.tif 000005
【図４】
2010136088.tif 000006